(57)【特許請求の範囲】
【請求項１】
無線通信システムのＵＥ（ユーザー端末）において、後続の送信パケットを逃さないようにＤＲＸ（不連続受信）機能を改善する方法であって、
オンデュレーションタイマー、ＤＲＸインアクティビティタイマー、またはＤＲＸ再送タイマーの起動時に、ＰＤＣＣＨ（物理ダウンリンク制御チャネル）をモニタリングする段階と、
前記ＰＤＣＣＨが前記ＵＥに対して初回送信のパケットを受信するように指示した場合、前記ＤＲＸインアクティビティタイマーを起動するか再起動する段階と、
を含み、
前記オンデュレーションタイマー、前記ＤＲＸインアクティビティタイマー、または前記ＤＲＸ再送タイマーの起動時に、前記ＰＤＣＣＨをモニタリングする段階は、
前記オンデュレーションタイマーと前記ＤＲＸインアクティビティタイマーが起動されていないが、前記ＤＲＸ再送タイマーが起動されたときに、前記ＰＤＣＣＨをモニタリングする段階を含む、
ＤＲＸ機能の改善方法。
【請求項２】
前記方法は更に、
前記ＵＥが受信パケットの復号に失敗するたびに、ＨＡＲＱ  ＲＴＴ（ラウンドトリップ時間）タイマーを起動し、対応するＨＡＲＱ（ハイブリッド自動リピート要求）プロセスの再送パケットを待つ段階と、
前記ＨＡＲＱ  ＲＴＴタイマーの終了時に前記ＤＲＸ再送タイマーを起動し、前記ＰＤＣＣＨをモニタリングすることで、前記ＨＡＲＱプロセスの再送パケットの有無を検知する段階と、を含む、請求項１に記載のＤＲＸ機能の改善方法。
【請求項３】
前記方法は更に、
前記ＨＡＲＱプロセスの再送パケットが検出されれば、前記ＤＲＸ再送タイマーを停止させる段階を含む、請求項２に記載のＤＲＸ機能の改善方法。
【請求項４】
前記無線通信システムはＬＴＥ（Ｌｏｎｇ  Ｔｅｒｍ  Ｅｖｏｌｕｔｉｏｎ）無線通信システムである、請求項１乃至３のいずれかに記載のＤＲＸ機能の改善方法。
【請求項５】
無線通信システムのＵＥにおいて、後続の送信パケットを逃さないようにＤＲＸ機能を改善するための通信装置であって、
処理プロセスを実行するＣＰＵ（中央処理装置）と、
前記ＣＰＵに結合され、前記処理プロセスを実行するためのプログラムを記録する記憶装置と、を含み、前記処理プロセスは、
オンデュレーションタイマー、ＤＲＸインアクティビティタイマー、またはＤＲＸ再送タイマーの起動時に、ＰＤＣＣＨをモニタリングする段階と、
前記ＰＤＣＣＨが前記ＵＥに対して初回送信のパケットを受信するように指示した場合、前記ＤＲＸインアクティビティタイマーを起動するか再起動する段階と、を含み、
前記オンデュレーションタイマー、前記ＤＲＸインアクティビティタイマー、または前記ＤＲＸ再送タイマーの起動時に、前記ＰＤＣＣＨをモニタリングする段階は、
前記オンデュレーションタイマーと前記ＤＲＸインアクティビティタイマーが起動されていないが、前記ＤＲＸ再送タイマーが起動されたときに、前記ＰＤＣＣＨをモニタリングする段階を含む、通信装置。
【請求項６】
前記処理プロセスは更に、
前記ＵＥが受信パケットの復号に失敗するたびに、ＨＡＲＱ  ＲＴＴタイマーを起動し、対応するＨＡＲＱプロセスの再送パケットを待つ段階と、
前記ＨＡＲＱ  ＲＴＴタイマーの終了時に前記ＤＲＸ再送タイマーを起動し、前記ＰＤＣＣＨをモニタリングすることで、前記ＨＡＲＱプロセスの再送パケットの有無を検知する段階と、を含む、請求項５に記載の通信装置。
【請求項７】
前記処理プロセスは更に、
前記ＨＡＲＱプロセスの再送パケットが検出されれば、前記ＤＲＸ再送タイマーを停止させる段階を含む、請求項６に記載の通信装置。
【請求項８】
前記無線通信システムはＬＴＥ無線通信システムである、請求項５乃至７のいずれかに記載の通信装置。
【請求項９】
請求項１乃至４のいずれか一項に記載のＤＲＸ機能の改善方法を実現するためのプログラム。
【発明の詳細な説明】
【技術分野】
【０００１】
本発明は無線通信システムにおいて不連続受信（ＤＲＸ、間欠受信とも称する）機能を改善する方法及び通信装置に関し、特に無線通信システムにおいてＤＲＸ機能のＤＲＸインアクティビティタイマー（ＤＲＸ  ｉｎａｃｔｉｖｉｔｙ  ｔｉｍｅｒ）の起動タイミングを改善する方法及び通信装置に関する。
【背景技術】
【０００２】
第三世代移動通信技術は高スペクトル利用効率、高カバー率、優れた通話品質と高速の伝送を実現するとともに、ＱｏＳ（サービス品質）の確保、柔軟性のある双方向通信の実現、通話中断率の低減に大きく寄与する。
【０００３】
ＬＴＥ（ｌｏｎｇ  ｔｅｒｍ  ｅｖｏｌｕｔｉｏｎ）無線通信システムは、第三世代移動通信システム（例えばＵＭＴＳ（汎用移動通信システム））をもとに確立されたアドバンスド高速無線通信システムである。ＬＴＥ無線通信システムはパケット交換のみサポートし、そのＲＬＣ通信プロトコル層とＭＡＣ通信プロトコル層は基地局（ノードＢ）とＲＮＣ（無線ネットワークコントローラ）に別々に設けなくてもよく、同一の通信ネットワークエンティティー（例えば基地局（ノードＢ））に統合できるので、システム構造が比較的に簡単である。
【０００４】
３ＧＰＰ（第三世代パートナーシッププロジェクト）は現行のＬＴＥ無線通信システムについて、ＤＲＸ機能を導入している。ＤＲＸ機能は、特定の状態でＵＥ（ユーザー端末）を休眠させ、ＰＤＣＣＨ（物理ダウンリンク制御チャネル）のモニタリングを停止させることで、ＵＥの電力消費を低減させる。
【０００５】
ＤＲＸ機能では、ＤＲＸサイクルに入るたびにオンデュレーションタイマー（ｏｎ  ｄｕｒａｔｉｏｎ  ｔｉｍｅｒ）を起動し、休眠状態のＵＥを起こし、オンデュレーションタイマーが終了するまでＵＥにＰＤＣＣＨをモニタリングさせる。また、ＵＥはＤＲＸインアクティビティタイマーまたはＤＲＸ再送タイマーの起動時にもＰＤＣＣＨをモニタリングする。
【０００６】
ＵＥでＰＤＣＣＨをモニタリングするとき、ＰＤＣＣＨがＵＥに対し、ＤＬ−ＳＣＨ（ダウンリンク共用チャネル）を通してダウンリンクパケットを受信するように指示するが、ＵＥが同パケットを受信できなかった場合、ＵＥのＭＡＣ（媒体アクセス制御）層はＨＡＲＱ（ハイブリッド自動リピート要求）プロセスを実行し、ネットワークに対してパケットの再送を要求する。ＵＥはＨＡＲＱプロセスのシグナリングが往復する間に再送パケットを受信しないので、ＤＲＸ機能では電力消費を節減するために、ＨＡＲＱ  ＲＴＴ（ラウンドトリップ時間）タイマーを起動し、ＵＥを一定時間休眠させてからＨＡＲＱの再送パケットをモニタリングさせる。
【０００７】
ＨＡＲＱ  ＲＴＴタイマーの終了時、ＤＲＸ再送タイマーを起動する。ＤＲＸ再送タイマーは、ＵＥに一定時間を与えてＰＤＣＣＨをモニタリングさせ、ＨＡＲＱの再送パケットの有無を検出させるために用いられる。ＨＡＲＱプロセスの再送パケットが検出されればＤＲＸ再送タイマーを停止させ、さもなければＤＲＸ再送タイマーは所定時間が終了するまで動作し続ける。
【０００８】
一方、オンデュレーションタイマーまたはＤＲＸインアクティビティタイマーの起動時、ＰＤＣＣＨがＵＥに対して初回送信のパケットを受信するように指示すれば、後続の送信パケットを逃さないように、ＤＲＸ機能ではＤＲＸインアクティビティタイマーを起動するか再起動し、ＵＥによるＰＤＣＣＨのモニタリングを継続させる。
【０００９】
しかし、前述のように、ＤＲＸ再送タイマーが起動されたが、オンデュレーションタイマーとＤＲＸインアクティビティタイマーが未だに起動されていない場合、ＰＤＣＣＨがＵＥに対して初回送信のパケットを受信するように指示すれば、ＤＲＸ機能ではＤＲＸインアクティビティタイマーの起動・再起動を実行しない。そうすると、ＵＥはＰＤＣＣＨのモニタリングを継続できず、後続の送信パケットを検出することができない。
【発明の開示】
【発明が解決しようとする課題】
【００１０】
本発明は後続の送信パケットを逃さないように、ＤＲＸ機能を改善する方法及び関連の通信装置を提供することを課題とする。
【課題を解決するための手段】
【００１１】
本発明では、無線通信システムのＵＥ（ユーザー端末）において、後続の送信パケットを逃さないようにＤＲＸ（不連続受信）機能を改善する方法を開示する。当該方法は、オンデュレーションタイマー、ＤＲＸインアクティビティタイマー、またはＤＲＸ再送タイマーの起動時に、ＰＤＣＣＨ（物理ダウンリンク制御チャネル）をモニタリングする段階と、前記ＰＤＣＣＨがＵＥに対して初回送信のパケットを受信するように指示した場合、前記ＤＲＸインアクティビティタイマーを起動するか再起動する段階とを含む。
【００１２】
本発明では更に、無線通信システムのＵＥにおいて、後続の送信パケットを逃さないようにＤＲＸ機能を改善するための通信装置を開示する。当該通信装置は、処理プロセスを実行するＣＰＵ（中央処理装置）と、ＣＰＵに結合され、前記処理プロセスを実行するためのプログラムを記録する記憶装置とを含む。前記処理プロセスは、オンデュレーションタイマー、ＤＲＸインアクティビティタイマー、またはＤＲＸ再送タイマーの起動時に、ＰＤＣＣＨをモニタリングする段階と、前記ＰＤＣＣＨがＵＥに対して初回送信のパケットを受信するように指示した場合、前記ＤＲＸインアクティビティタイマーを起動するか再起動する段階とを含む。
【発明を実施するための最良の形態】
【００１３】
かかる方法及び装置の特徴を詳述するために、具体的な実施例を挙げ、図を参照にして以下に説明する。
【００１４】
図１を参照する。図１は無線通信システム１０を表す説明図である。無線通信システム１０は望ましくはＬＴＥシステムであり、概してネットワークと複数のＵＥを含む。図１に示すネットワークとＵＥは無線通信システム１０の構造を説明するために用いるに過ぎない。実際、ネットワークは要求に応じて複数の基地局、ＲＮＣ（無線ネットワークコントローラー）を含みうる。ＵＥは携帯電話、コンピュータシステムなどの装置である。
【００１５】
図２を参照する。図２は無線通信システムにおける無線通信装置１００のブロック図である。無線通信装置１００は図１に示すＵＥを実施するために用いられる。説明を簡素化するため、図２では無線通信装置１００の入力装置１０２、出力装置１０４、制御回路１０６、ＣＰＵ（中央処理装置）１０８、記憶装置１１０、プログラム１１２及びトランシーバー１１４のみ示している。無線通信装置１００では、制御回路１０６はＣＰＵ１０８を用いて記憶装置１１０に記録されたプログラム１１２を実行し、無線通信装置１００の動作を制御し、入力装置１０２（例えばキーボード）でユーザーが入力した信号を受信し、出力装置１０４（スクリーン、スピーカーなど）で映像、音声などの信号を出力する。無線信号を受発信するトランシーバー１１４は受信した信号を制御回路１０６に送信し、または制御回路１０６による信号を無線で出力する。言い換えれば、通信プロトコルに当てはめれば、トランシーバー１１４は第一層の一部とみなされ、制御回路１０６は第二層と第三層の機能を実施する。
【００１６】
図３を参照する。図３は図２に示すプログラム１１２を表す説明図である。プログラム１１２はアプリケーション層２００と、第三層２０２と、第二層２０６とを含み、第一層２１８に接続されている。第二層２０６にはＭＡＣ（媒体アクセス制御）エンティティー２２２が設けられており、ＭＡＣエンティティー２２２は基地局と複数のＨＡＲＱプロセスを実行してパケットを受信するとともに、ＤＲＸ機能をサポートする。ＭＡＣエンティティー２２２が第三層２０２のＲＲＣ指令に従ってＤＲＸ機能を実行する場合、本発明の実施例では後続の送信パケットを逃さないように、ＤＲＸ機能改善プログラム２２０を提供する。
【００１７】
図４を参照する。図４は本発明による方法４０のフローチャートである。下記方法４０は無線通信システムのＵＥにおいてＤＲＸ機能の改善に用いられ、ＤＲＸ機能改善プログラム２２０としてコンパイルすることができる。
【００１８】
ステップ４００：開始。
ステップ４０２：オンデュレーションタイマー、ＤＲＸインアクティビティタイマー、またはＤＲＸ再送タイマーの起動時に、ＰＤＣＣＨをモニタリングする。
ステップ４０４：前記ＰＤＣＣＨがＵＥに対して初回送信のパケットを受信するように指示した場合、前記ＤＲＸインアクティビティタイマーを起動するか再起動する。
ステップ４０６：終了。
【００１９】
以上のとおり、本発明では、ＤＲＸ機能によるオンデュレーションタイマー、ＤＲＸインアクティビティタイマー、またはＤＲＸ再送タイマーの起動時に、ＰＤＣＣＨをモニタリングする。この場合、ＰＤＣＣＨがＵＥに対して初回送信のパケットを受信するように指示すれば、ＵＥはＤＲＸインアクティビティタイマーを起動するか再起動する。
【００２０】
したがって、従来の技術に比べて、ＤＲＸ再送タイマーが起動されたが、オンデュレーションタイマーとＤＲＸインアクティビティタイマーが起動されていない場合、ＰＤＣＣＨがＵＥに対して初回送信のパケットを受信するように指示すれば、後続の送信パケットを逃さないように、ＵＥはＤＲＸインアクティビティタイマーを起動するか再起動し、ＰＤＣＣＨのモニタリングを継続する。
【００２１】
もっとも、前記方法４０は前述に限らず、ＤＲＸ機能の他段階も含みうる。例えば、本発明は、ＵＥが受信パケットの復号に失敗するたびに、ＨＡＲＱ  ＲＴＴタイマーを起動し、対応するＨＡＲＱプロセスの再送パケットを待つ段階と、ＨＡＲＱ  ＲＴＴタイマーの終了時にＤＲＸ再送タイマーを起動し、ＰＤＣＣＨをモニタリングすることで、ＨＡＲＱプロセスの再送パケットの有無を検知する段階を含みうる。
【００２２】
その後、ＨＡＲＱプロセスの再送パケットが検出されればＤＲＸ再送タイマーを停止させ、さもなければＤＲＸ再送タイマーは所定時間が終了するまで動作し続ける。注意すべきは、ＤＲＸ機能のうち本発明と関係が無い部分については、ここで説明を省略する。
【００２３】
まとめて言えば、本発明の実施例はＤＲＸ機能のうちＤＲＸインアクティビティタイマーの起動タイミングを改善し、ＵＥによるＰＤＣＣＨのモニタリングが継続できず、後続の送信パケットを逃すのを回避することができる。
【００２４】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【図面の簡単な説明】
【００２５】
【図１】無線通信システムを表す説明図である。
【図２】無線通信装置のブロック図である。
【図３】図２に示すプログラムを表す説明図である。
【図４】本発明による方法のフローチャートである。
【符号の説明】
【００２６】
１０          無線通信システム
１００        無線通信装置
１０２        入力装置
１０４        出力装置
１０６        制御回路
１０８        ＣＰＵ
１１０        記憶装置
１１２        プログラム
１１４        トランシーバー
２００        アプリケーション層
２０２        第三層
２０６        第二層
２１８        第一層
２２０        ＤＲＸ機能改善プログラム
２２２        ＭＡＣエンティティー
【図１】
0004902676.tif 000002
【図２】
0004902676.tif 000003
【図３】
0004902676.tif 000004
【図４】
0004902676.tif 000005